Podtech/llm-jp-corpus-v4-ja_patent huggingface dataset:
(57)【要約】【課題】従来の餃子の皮は小麦粉を薄く圧延して円形に加工して餡を包んで食しておりました。小麦粉その栄養的価値に満足しない物があり、生活習慣病予防の意味から健康食ブームが起こり、自然食品・ダイエット食品として、医食同源という言葉も周知され、より優れた食品内容物の提供する事を図る。【解決手段】本発明は、食物繊維の価値、食品の効用【００１０】を認めるところの蕎麦粉に注目した。蕎麦タンパク質は植物性タンパク質のなかでは、きわめて栄養価が高く完全に近いものである。そこで餡（１）乃至蕎麦皮（２）に乳酸菌によって生産されるバイオプリザバテイブ（植物・動物及び微生物起源の抗菌作用をもつ化合物で、何らの害作用もなく長期間人間に食べられてきたもの）、抗菌性蛋白質バクテリオシン・乳酸菌体細胞の酵素による過酸化水素生産・有機酸（乳酸・酢酸・ギ酸・プロピオン酸）他にはクエン酸・アスコルビン酸。有機酸の種類・揮発性酸（酢酸・プロピオン酸・イソ酪酸・ｎ−酪酸・イソバレリアン酸）不揮発性酸（乳酸・ピルビン酸・オキサロ酢酸・コハク酸）などの殺菌及び静菌作用を有する物質を混和することで、食品の保存性乃至栄養的価値を向上させる事ができる。【特許請求の範囲】
【請求項１】
豚  牛・鳥挽肉等の食肉乃至サカナ等と、小さくカットされた茸・筍・野菜等を適宜練り合わせて、各々の嗜好にあわせた餡（１）に乳酸醗酵によって得られ、乳酸菌によって生産されるバイオプリザバテイブ（植物・動物及び微生物起源の抗菌作用をもつ化合物で、何らの害作用もなく長期間人間に食べられてきたもの）、抗菌性蛋白質バクテリオシン・乳酸菌体細胞の酵素による過酸化水素生産・有機酸（乳酸・酢酸・ギ酸・プロピオン酸）他にはクエン酸・アスコルビン酸。
有機酸の種類・揮発性酸（酢酸・プロピオン酸・イソ酪酸・ｎ−酪酸・イソバレリアン酸）不揮発性酸（乳酸・ピルビン酸・オキサロ酢酸・コハク酸）などの殺菌及び静菌作用を有する物質の何れか１つ以上を混和し、皮（２）で被覆している餃子において、餡（１）を蕎麦粉の圧延加工した蕎麦皮からなることを特徴とする餃子。
【請求項２】
豚  牛・鳥挽肉等の食肉乃至サカナ等と、小さくカットされた茸・筍・野菜等を適宜叩いて練り合わせて、各々の嗜好にあわせた餡（１）を皮（２）で被覆している餃子において、餡（１）に蕎麦粉を混和し更に乳酸醗酵によって得られ、乳酸菌によって生産されるバイオプリザバテイブ（植物・動物及び微生物起源の抗菌作用をもつ化合物で、何らの害作用もなく長期間人間に食べられてきたもの）、抗菌性蛋白質バクテリオシン・乳酸菌体細胞の酵素による過酸化水素生産・有機酸（乳酸・酢酸・ギ酸・プロピオン酸）他にはクエン酸・アスコルビン酸。
有機酸の種類・揮発性酸（酢酸・プロピオン酸・イソ酪酸・ｎ−酪酸・イソバレリアン酸）不揮発性酸（乳酸・ピルビン酸・オキサロ酢酸・コハク酸）などの殺菌及び静菌作用を有する物質の何れか１つ以上を混和し圧延加工した蕎麦皮からなることを特徴とする餃子。
【発明の詳細な説明】
【０００１】
【発明の属する技術分野】本発明は、餃子の食味乃至保存及び栄養の改善に関し餡と被覆している皮に関する。
【０００２】
【従来の技術】餃子は豚の挽肉・エビ・カニ等の食肉に、白菜・玉葱・椎茸・筍・人参・ニラ・キャベツ等小さくカットされた物を適宜混合してなる餡を作り、この餡を、小麦粉を薄い円形に加工した皮で被覆している。皮は二つ折りにして餡を包み、その縁廻りを付着させて餡を被覆させる。このようにして作られた生の餃子は、油あるいは蒸気乃至スープにて加熱調理されて食される。
【０００３】
【発明が解決しようとする課題】従来の餃子の皮は小麦粉を薄く圧延して円形に加工して餡を包んで食しておりました。小麦粉その栄養的価値を見ると次のように成ります。エネルギー２８０Ｋｃａｌ・タンパク質８％のアミノ酸含量は、シスチン１，９％・アルギニン７，６％・ヒスチジン５，６％リジン０，５％トリプトファン１，０％程度である。  脂質１、５％程度含む。ビタミン類  ビタミンＢ１を０，０９ｍｇ・Ｂ２を０，０３ｍｇ・ナイアシンを０，５ｍｇ含むがＡ・Ｃ・Ｄは含まない。以上の様な小麦粉の栄養的価値があります。しかし現在は健康食ブームが起こり、自然食品・ダイエット食品として、医食同源という言葉も周知され、食事の多様性に伴い食品のより優れた保存性乃至栄養的価値を求められる様になった。
【０００４】
【課題を解決するための手段】
本発明は、食物繊維の価値、食品の効用を認めるところの蕎麦粉に注目した。その蕎麦粉の栄養的価値を見ると、次のように成ります。
エネルギー２７４Ｋｃａｌ・タンパク質９，８％のアミノ酸含量は、シスチン１，２％・アルギニン１４，６％・ヒスチジン４，８％リジン４，８％トリプトファン０、８％程度であり比較的必須アミノ酸を多く含む。  脂質１、９％程度含む。ビタミン類  ビタミンＢ１を０，４２ｍｇ・Ｂ２を０，１０ｍｇ・ナイアシ
ンを４，３ｍｇ含有している。
【０００３】前記に挙げた小麦粉の成分的価値と比較すると、特にリジンの含量が非常に少なく、小麦粉は蕎麦粉に劣る事がわかる。
【０００５】
蕎麦タンパク質は植物性タンパク質のなかでは、きわめて栄養価が高く完全に近いものである。そこで蕎麦粉を圧延し円形加工し餃子の皮とする事で従来の小麦粉の皮に比べて優れた栄養的価値を提供する事ができる。
【０００６】
蕎麦には、不足しがちなビタミンＢ１・Ｂ２も小麦に比べて３〜４倍含有している。これらビタミンは、食欲を増進させ、神経を鎮め、疲労感を癒す、ほか口内炎，口角炎、脚気、などを予防する効果も備えているため健康食品としての位置付けがなされている。
【０００７】
乳酸菌によって生産されるバイオプリザバテイブ（植物・動物及び微生物起源の抗菌作用をもつ化合物で、何らの害作用もなく長期間人間に食べられてきたもの）、抗菌性蛋白質バクテリオシン・乳酸菌体細胞の酵素による過酸化水素生産・有機酸（乳酸・酢酸・ギ酸・プロピオン酸）他にはクエン酸・アスコルビン酸。有機酸の種類・揮発性酸（酢酸・プロピオン酸・イソ酪酸・ｎ−酪酸・イソバレリアン酸）不揮発性酸（乳酸・ピルビン酸・オキサロ酢酸・コハク酸）などの殺菌及び静菌作用を有する物質を混和し食品の保存性を向上させる。
【０００８】
【発明実施の形態】以下、本発明の実施例図面に基づいて説明する。ただし、下記の実施例によって本発明が実施例だけに限定される物ではない。
【０００９】図１に示す餃子は、餡（１）を蕎麦皮（２）で被覆している。
餡（１）は、
【請求項１】乃至
【請求項２】に挙げた材料を各々の嗜好に合わせ適宜練り合わせた。
【００１０】
【発明の効果】餃子の効用
【０００６】に示す、中でもルチンやコリンの作用により高血圧、動脈硬化、肝脂肪、肝硬変等の生活習慣病予防食としての優れた栄
養素と食物繊維を含み、しかも、食品保存性
【０００７】に示す、乃至栄養的価値を高める等、大きな意義を奏する。
【図面の簡単な説明】
【図１】本発明の実施例の餃子を示す断面斜視図
餡（１）
蕎麦皮（２）
【図１】
2004321147.tif 000002
(57)【要約】      （修正有）【課題】動物のダイエット及び健康維持を目的にした動物に悪影響が懸念される化学物質を含有しない生体にやさしいダイエット剤を提供する。【解決手段】牧草に含まれるヘミセルロース、セルロース、リグニン等の不溶性繊維質を抽出したものと、リンゴから精製したアップルファイバーをベースとして、他の人工的に精製された不水溶性又は水溶性の繊維質を添加し、動物用ダイエット促進剤を作製し、犬や猫、兎、フェレット等の動物の過食及び栄養過多を起因とする肥満及び内臓障害を軽減する。【選択図】なし【特許請求の範囲】
【請求項１】
リンゴから抽出したアップルファイバーと植物性繊維質の、リグニン、セルロース、ヘミセルロースのうち１種類以上を含有することを特徴とした動物用ダイエット促進剤。
【発明の詳細な説明】
【０００１】
【発明の属する技術分野】
本発明は、犬や猫、兎、フェレット等の動物の過食及び栄養過多を起因とする肥満及び内臓障害を軽減する事を目的としたことに関する。
【０００２】
【従来の技術】
現在、販売されているダイエット剤を見ると、過食及び栄養過多による肥満等の治療については、動物に悪影響が懸念される化学物質を含有したダイエット薬剤等、又は、日常的に動物が食するもの以外の食物から人工的に混合されたダイエット剤が殆んどで、常用すると動物の内臓、特に消化器管に障害をもたらすケースが多く、必ずしも動物に悪影響が無いとは言い切れない。
【０００３】
【発明が解決しようとする課題】
そこで本発明は、リンゴから精製したアップルファイバーと牧草から抽出したリグニン、セルロース、ヘミセルロースの繊維質を０．１％以上含有したことを特徴とした動物用ダイエット促進剤を作製する。
【０００４】特に、不溶性繊維は、動物の体内に入ると消化されず消化器管内で水分を吸収し容積を３〜１０倍に増加させるため、動物に満足感を短時間で与えるとともに、大きい糞便を形成する源となる。
【０００５】大きい糞便は、消化器管の通過時間が短く、腸壁を刺激するばかりでなく腸の煽動運動をも活発にするため、動物に多く見られる腸内の不良ガス発生等を抑制する効果も顕著である。
【０００６】糞便の通過時間が大きく短縮されることで、発ガン性物質などの有害化学物質と腸壁との接触時間も同時に短縮されるとともに、余分な栄養の吸収時間も短縮され、過食及び栄養過多による肥満等も大幅に改善されることとなる。
【０００７】また、従来の飼料に比べ繊維質の含有率が高いため噛み応えがあり、咀嚼回数の増加につながり、その結果として唾液と胃液の分泌が活発になり、消化器管を正常に保つ効果がある。
【０００８】咀嚼回数の増加は、動物本来の顎と歯を形成することにも大きくつながり、動物の骨格を形成する上でも本発明は役立つこととなる。
【０００９】
【課題を解決するための手段】
本発明によれば、リンゴから抽出したアップルファイバーと植物性繊維質の、リグニン、セルロース、ヘミセルロースのうち１種類以上を含有することを特徴とした動物用ダイエット促進剤を作製し、これを、犬や猫、兎、フェレット等の過食及び栄養過多を起因とする肥満及び内臓障害を防止することができる。
【００１０】
【発明の実施の形態】
リンゴから抽出したアップルファイバーと、牧草から抽出した繊維質の、リグニン、セルロース、ヘミセルロースと他の人工的に精製された不水溶性又は水溶性の繊維質を添加し、動物用ダイエット促進剤を作製する。
【００１１】
【発明の効果】
本発明の動物用ダイエット促進剤を投与すると、不溶性繊維質であるヘミセルロース、セルロース、リグニンが、その特性を発揮し動物の体に害の無いダイエット効果と健康維持効果をもたらす。
また、製造工程においても化学薬品処理は一切行わないため地球環境を考慮した理想の動物飼料と言っても過言ではない。
(57)【要約】【目的】グルコマンナンをゾル状で飲食する際にグルコマンナンゾルが口中でべとつかずさらさらと容易に飲食できるように粘着性、付着性を低減したグルコマンナンーキサンタンガム系混合ゾル物質および該混合ゾル物質を製造するためのグルコマンナンーキサンタンガム系混合物を提供する。【構成】グルコマンナン含有率０．４〜５．０重量％、キサンタンガム含有率０．１〜３．０重量％の混合ゾル物質またはこのゾル物質の各含有率が満たされるように配合されたグルコマンナンーキサンタンガム系混合物よりなる。【選択図】    なし【特許請求の範囲】
【請求項１】
水や茶、ジュース、牛乳、スープなどの液状食品に含有率０．４〜５．０重量％の範囲でグルコマンナンを溶解してゾル状で飲食することを目的としたグルコマンナンゾル物質中に粘着性、付着性を低減させるために含有率０．１〜３．０重量％の範囲でキサンタンガムを溶解させ飲食しやすいようにしたことを特徴とするグルコマンナンーキサンタンガム系混合ゾル物質。
【請求項２】
前記グルコマンナンーキサンタンガム系混合ゾル物質を製造するため、グルコマンナンおよびキサンタンガムの各含有量が請求項１の各含有率を満たすように配合されたことを特徴とするグルコマンナンーキサンタンガム系混合物。ただし該混合物にはグルコマンナンおよびキサンタンガムの含有量が請求項１の含有率を満たしていれば他の食品が混合されていてもよい。
【発明の詳細な説明】
【０００１】
【発明の属する技術分野】
本発明はグルコマンナンをゾル状で飲食する際に、飲食しやすいように粘着性、付着性を低減したグルコマンナンーキサンタンガム系混合ゾル物質および該混合ゾル物質を製造するためのグルコマンナンーキサンタンガム系混合物に関する。
【０００２】
【従来の技術】
グルコマンナンは食物繊維の中でも特に分子量が多く多量の水を吸って膨潤し満腹効果や整腸作用、成人病予防効果があるといわれておりこれを直接摂取することが効果的である。そのためグルコマンナンを粉の状態で呑んだりグルコマンナンゾルを直接摂取したりするという方法がとられていた。しかしグルコマンナンは水分を吸収すると粘着性、付着性が強くなり粉の状態で呑むと喉に付着して危険であったりまたゾル状で飲食した場合口中に付着して飲食しにくかったりとなかなか継続摂取しにくいものであった。
【０００３】
【発明が解決しようとする課題】
このようにグルコマンナンを満腹効果や整腸作用そして成人病予防の目的のために従来の方法で摂取するのは前述の通り問題が多い。
【０００４】
そこで本発明はグルコマンナンをゾル状で摂取するときにグルコマンナンゾルが口中でべとつかずさらさらと容易に飲食できるように粘着性、付着性を低減したグルコマンナンーキサンタンガム系混合ゾル物質および該混合ゾル物質を製造するためのグルコマンナンーキサンタンガム系混合物を提供することを目的としている。
【０００５】
【課題を解決する為の手段】
上記目的を達成するために本発明の、飲食しやすいようにグルコマンナンゾルの粘着性、付着性を低減したグルコマンナンーキサンタンガム系混合ゾル物質は、グルコマンナン含有率０．４〜５．０重量％のグルコマンナンゾル物質中にキサンタンガムを０．１〜３．０重量％含有させたことを特徴としている。
【０００６】
また前記グルコマンナンーキサンタンガム系混合ゾル物質中のグルコマンナンおよびキサンタンガムの各含有率が満たされるように配合されたグルコマンナンーキサンタンガム系混合物により、飲食しやすいように粘着性、付着性を低減したグルコマンナンーキサンタンガム系混合ゾル物質を提供することを特徴としている。ただし該混合物にはグルコマンナンおよびキサンタンガムの含有率が前記の含有率を満たしていれば他の食品が混合されていてもよい。
【０００７】
【発明の実施の形態】
次に本発明を構成するグルコマンナンおよびキサンタンガムそれぞれのゾル特性とその混合ゾル物質の特性について説明する。
【０００８】
グルコマンナンの分子量は１００万〜２００万と多くまたその粘度は、２５℃１．０重量％水溶液で溶解３時間後、Ｂ型粘度計６ｒｐｍ測定では天然高分子の中では最大級の１０万ｃｐｓ以上にもなり粘着性、付着性が非常に強い。
【０００９】
キサンタンガムの分子量も２００万ぐらいで非常に多いがその粘度は、２５℃１．０重量％水溶液で溶解３時間後、Ｂ型粘度計６ｒｐｍ測定では約５，５００ｃｐｓでグルコマンナンに比し低くその粘着性、付着性も非常に低い。またキサンタンガムはその水溶液に力が加わると粘度が急速に低減するという性質すなわちシュードプラスチック性を持っており上記水溶液の粘度を６０ｒｐｍで測定すると約８００ｃｐｓと低減する。すなわち混合や飲食、咀嚼などの力が加われば粘性が低減してさらさらした状態になる。
【００１０】
グルコマンナンとキサンタンガムの混合ゾル中においてグルコマンナンとキサンタンガムは互いに絡み合っており静止状態では粘性が非常に高いが、攪拌や飲食に伴う咀嚼等の力が加わればキサンタンガムのシュードプラスッチック効果により粘性は低減する。またキサンタンガムは乳化する能力が高くグルコマンナンの分子同士の結着を阻む効果も高く粘着性、付着性を低減させる効果が高い。グルコマンナンーキサンタンガム各１．０重量％の３時間後の混合ゾルの粘土はＢ型粘度計６ｒｐｍ２５℃約１２０，０００ｃｐｓであったが６０ｒｐｍの時約２１，０００ｃｐｓと低減した。
【００１１】
すなわちキサンタンガムはグルコマンナンの各分子の周りに分散し飲食時にはその粘着性、付着性を低減させスムーズな飲食を可能にする。
【００１２】
グルコマンナンーキサンタンガム系混合ゾル物質は飲食しやすいように粘着性、付着性を低減したゾル物質であるためグルコマンナンの「食物繊維の中でも特に分子量が多く多量の水を吸って膨潤し満腹効果や整腸作用、成人病予防効果があるといわれておりこれを直接摂取することが効果的である」という特性を破壊することなく摂取することができる。
【００１３】
【実施例】
グルコマンナン２ｇ、キサンタンガム２ｇ、砂糖１６ｇを混合してグルコマンナンーキサンタンガム系混合物を作った。該混合物を１０℃の水１８０ｇに入れてよく撹拌しグルコマンナン含有率１．０重量％キサンタンガム含有率１．０重量％の粘着性、付着性を低減したグルコマンナンーキサンタンガム系混合ゾル物質を作った。同様に比較のためグルコマンナン２ｇ砂糖１８ｇを混合して１０℃の水１８０ｇに入れてよく撹拌した。１時間後該混合ゾル物質の粘度はＢ型粘度計６０ｐｐｍ測定では約１２，０００ｃｐｓであった。また比較のグルコマンナンゾルはＢ型粘度計６ｒｐｍ測定では約８５，０００ｃｐｓであった。両者を比較したところグルコマンナンーキサンタンガム系混合ゾル物質は口中で滑らかにさらさらとした食感で飲食できたのに対しグルコマンナンゾルは口中でべとつき歯全体に付着し飲食するには難があった。
【００１４】
【発明の効果】
グルコマンナンを満腹効果や整腸作用そして成人病予防の目的のために粉の状態で直接呑んだりゾル状物質で飲食するのは喉に付着して危険であったりべとついて不快であったりと継続して飲食することが難しかった。しかし本発明によれば上述したようにグルコマンナンを不快感なしで飲食でき継続的に摂取することができる。
(57)【要約】【課題】この発明は、豆乳製造者が豆乳の製造・輸送・販売までを一貫して行い、お客が豆乳販売所（ソイミルクスタンド）で絞りたての豆乳を購入飲食することによって、豆乳製造販売のコストを削減する。【解決手段】この発明では、豆乳は豆乳タンクで輸送し、豆乳販売所（ソイミルクスタンド）の豆乳サーバーに移し替える。お客は代金を支払い、飲料コップで豆乳サーバーから好みの豆乳を注ぎ、立ち飲み式のカウンターテーブルまで運び飲食する。【特許請求の範囲】
【請求項１】
豆乳を製造者が直接お客に販売する立ち飲み形式の飲食店
【発明の詳細な説明】
【００１】
【産業上の利用分野】
この発明は、豆乳製造者がお客へ絞りたての豆乳を直接販売するカウンター式飲食店である。
【００２】
【従来の技術】
従来の豆乳の製造販売は、製造者が豆乳をパックへ充填包装した後、そのパック詰豆乳を販売店舗へ低温輸送し、店舗で低温陳列棚に納められた豆乳をお客が購入するシステムである。その製造・物流及び販売のコスト高は製造者の製造経営そのものを圧迫している。
【００３】
【発明が解決しようとする課題】
この発明は、豆乳製造者が豆乳の製造・輸送・販売までを一貫して行い、お客が豆乳販売所（ソイミルクスタンド）で絞りたての豆乳を購入飲食することによって、豆乳製造販売のコストを削減する。
【００４】
【課題を解決するための手段】
この発明では、豆乳は豆乳タンクで輸送し、豆乳販売所（ソイミルクスタンド）の豆乳サーバーに移し替える。お客は代金を支払い、飲料コップで豆乳サーバーから好みの豆乳を注ぎ、立ち飲み式のカウンターテーブルまで運び飲食する。
【００５】
【実施例】
この発明では、お客は飲料コップ受取口で豆乳代金を支払い、コップを取り、豆乳サーバーから好みの豆乳を注ぎ、カウンターテーブルに運んで飲んだ後、飲料コップ返却口へコップを返す。店員は豆乳の補充、コップの洗浄及び代金の受取をおこなう。
【００６】
【発明の効果】
従来の豆乳製造販売は、豆腐製造者が豆腐製造工程中で製造する豆乳を末端小売業者が買い受けその店舗で販売されているのが一般的である。本発明の効果は、豆腐製造者がお客に直接豆乳の販売をおこなうことによって得られる。
【００７】
本発明では、豆乳を豆乳タンクで販売所に輸送することにより、豆乳包装パックが不要となることと、パック充填包装の工程が無くなることで大幅な製造コストの削減ができ省資源にもなる。また豆乳をタンク輸送システムにすることで物流コストも削減され、製造者がお客に直接販売することで販売のコストは大幅にダウンする。
【００８】
本発明では、お客が豆乳販売所（ソイミルクスタンド）において豆乳を購入飲食することにより、従来の流通システムは省かれ、鮮度の高い安価な豆乳を飲むことができ、製造者の単位当りのコストダウンと売上増が得られることになる。
【図面の簡単な説明】
【図１】「豆乳製造直販システムフロー図である。」
【符号の説明】
▲１▼豆乳製造所
▲２▼豆乳タンクローリー
▲３▼豆乳販売所（ソイミルクスタンド）
▲４▼飲料コップ受取口
▲５▼豆乳サーバー
▲６▼飲料コップ返却口
▲７▼カウンターテーブル
【図１】
2004321152.tif 000002
(57)【要約】【課題】清涼飲料水の成分を血液型に合わせて調合し栄養補給することにより健康を促進する。【解決手段】血液型には、Ａ型  Ｂ型  Ｏ型  ＡＢ型がある。血液型によって、性格や体質が異なるように、血液型にあった成分を調合して、清涼飲料水を作る。血液型にあった清涼飲料水を摂取することにより、健康を第一に考えた、水分補給を目的とする。【選択図】    なし【特許請求の範囲】
【請求項１】
血液型  Ａ型  Ｂ型  Ｏ型  ＡＢ型の体液、体質、性格にあった成分により栄養補給することを特徴とする、清涼飲料水。
【請求項２】
血液型にあった成分の清涼飲料水を特徴とする請求項１記載のものから食料品全般に拡大する。
【発明の詳細な説明】
【０００１】
【発明の属する技術分野】
この発明は、血液学的方法によって分類された血液型のうち赤血球の表面にある抗原によって分けられた  Ａ型  Ｂ型  Ｏ型  ＡＢ型の体液、体質、性格に合わせて成分を調合した清涼飲料水に関する。
【０００２】
【従来の技術】
従来の清涼飲料水には血液型にあったものがいため、体液、体質に応じた栄養補給がなされていなかった。
【０００３】
【発明が解決しようとする課題】
しかしながら、以上の従来技術によれば、全ての血液型の人が、同一種類の清涼飲料水を飲んでいた。
そこでこの発明は、体液、体質にあった清涼飲料水を提供することを課題とする。
【０００４】
【課題を解決するための手段】
以上の課題を解決するために、請求項１の発明には、血液型にあった清涼飲料水を開発する。
また、請求項２の発明は血液型にあった清涼飲料水から血液型にあった食品全般に拡大したことを特徴とする。
【０００５】
【発明の実態の形態】
この発明の一実施形態は、日本人の血液型の割合として  Ａ型４０％  Ｂ型２０％  Ｏ型３０％  ＡＢ型１０％のデータにより、血液型別にどのような成分を補えば血液の吸収と循環をスムーズにできるかを研究開発。
【０００６】
【実施形態の効果】
この実施形態によれば、血液型にあった栄養補給ができる。
【０００７】
【他の実施形態】
体内に摂取するものであるから取り過ぎると人体に影響のあるものは極力抑え、体に有効な物質を増やす。
【０００８】
【発明の効果】
以上説明したように、この発明によれば、血液にあった栄養補給が可能になる。
健康の面からも効果は大きい。
【０００９】
血液型  Ａ型  Ｂ型  Ｏ型  ＡＢ型と４種類なので、生産効率は良好。
【手続補正書】
【提出日】平成15年6月12日(2003.6.12)
【手続補正１】
【補正対象書類名】明細書
【補正対象項目名】０００２
【補正方法】変更
【補正の内容】
【０００２】
【従来の技術】
従来の清涼飲料水には、血液型にあったものが無いため、体液、体質に応じた栄養補給がなされていなかった。
(57)【要約】      （修正有）【課題】犬の首輪にコートを付属させることと、コートに紫外線防止素材を使用すること及び酸性雨防止加工をすることにより、犬の散歩がいつでもできる。そして犬の健康維持に役立つ。【解決手段】犬の首輪にコートを収納する袋をつける。コートを紫外線防止素材で製作、酸性雨防止加工をする。【選択図】  図３
2004321153.tif 000002
【特許請求の範囲】
【請求項１】
０４．犬の首輪部分の上部に、０１．コート収納部を設ける。
【請求項２】
０８．コート収納部にコートがたたまれて収納されており、必要な時に１７．コート部を引き出し利用する。
【請求項３】
１７．コート部は紫外線及び酸性雨から犬を守るための素材が使われている。または加工処理がされている。
【発明の詳細な説明】
【０００１】
【発明の属する技術分野】
この発明は犬の首輪にコートを付属した犬の首輪に関するものである。
【０００２】
【従来の技術】
従来は犬の首輪だけの機能であった。
【０００３】
【発明が解決しようとする課題】
これには次のような欠点があった。
（イ）．犬を散歩させる時にコートを別に持参しなければならなかった。
（ロ）．コートは一般雨用であったため、紫外線や酸性雨に対する防護はなかった。
本発明はこれらの欠点を除くためになされたものである。
【０００４】
【課題を解決するための手段】
０４．犬の首輪上部に、０１．コート収納部（ファスナー付）を設ける。
そして、必要な時にひっぱりだし、犬の背中から腹を覆って、０９．〜１２．コート固定ベルト及び１３．〜１６．マジックテープで固定する。
本発明は、以上の構成からなる犬の首輪に収納されたコートである。
【０００５】
【発明の実施の形態】
以下、本発明の実施の形態について説明する。
（イ）．０４．犬の首輪上部に、０１．コート収納部を設ける。０１．コート収納部はナイロン製でファスナーが付いている。
（ロ）．０１．コート収納部に収納されているコートをファスナーを開けて取り出す。
（ハ）．コートを犬の背中から腹にかける、固定用の０９．〜１２．コート固定ベルト及び１３．〜１６．ベルト固定マジックテープ、４箇所で固定する。
ベルトはフリーサイズなので犬の種類は問わない。
（二）．不要な時は、０９．〜１２．コート固定ベルトをはずし、たたんで０４．首輪部上部の０１．コート収納部に収納する。
【０００６】
【発明の効果】
常時首輪にコートが付属しているため、雨天時も天気の日も天候を気にせず散歩できる。また、犬の健康を維持するため、コートは紫外線防止及び酸性雨防止の素材を使っているので安心して散歩させられる。
雨天時及び天気の日も兼用して使用できるコートである。
【図面の簡単な説明】
【図１】
【符号の説明】
０１．コート収納部正面図
０２．コート収納部上面図
０３．コート収納部側面図
０４．犬の首輪正面図
０５．犬の首輪上面図
０６．犬の首輪側面図
【図２】
【符号の説明】
０７．犬の首輪部分平面図
０８．コート収納部平面図
０９．コート固定ベルト部
１０．コート固定ベルト部
１１．コート固定ベルト部
１２．コート固定ベルト部
１３．ベルト固定マジックテープ
１４．ベルト固定マジックテープ
１５．ベルト固定マジックテープ
１６．ベルト固定マジクテープ
１７．コート本体展開図
【図３】本発明の使用状態を示すスケッチである。
【符号の説明】
１８．コート収納部
１９．コート本体
２０．コート固定ベルト
２１．コート固定ベルト
２２．犬の首輪部
【図１】
2004321153.tif 000003
【図２】
2004321153.tif 000004
【図３】
2004321153.tif 000005
【手続補正書】
【提出日】平成15年9月25日(2003.9.25)
【手続補正３】
【補正対象書類名】明細書
【補正対象項目名】図面の簡単な説明
【補正方法】変更
【補正の内容】
【図面の簡単な説明】
【図１】本発明の収納時に於ける平面図（符号０２，０５）、同正面図（符号０１，０４）、同側面図（符号０３，０６）である。
【図２】本発明の展開時に於ける平面図である。
【図３】本発明の使用状態を示すスケッチである。
【符号の説明】
０１．コート収納部正面図
０２．コート収納部上面図
０３．コート収納部側面図
０４．犬の首輪正面図
０５．犬の首輪上面図
０６．犬の首輪側面図
０７．犬の首輪部分平面図
０８．コート収納部平面図
０９．コート固定ベルト部
１０．コート固定ベルト部
１１．コート固定ベルト部
１２．コート固定ベルト部
１３．ベルト固定マジックテープ
１４．ベルト固定マジックテープ
１５．ベルト固定マジックテープ
１６．ベルト固定マジクテープ
１７．コート本体展開図
１８．コート収納部
１９．コート本体
２０．コート固定ベルト
２１．コート固定ベルト
２２．犬の首輪部
(57)【要約】【課題】従来の餃子の皮は小麦粉を薄く圧延して円形に加工して餡を包んで食しておりました。小麦粉その栄養的価値に満足しない物があり、生活習慣病予防の意味から健康食ブームが起こり、自然食品・ダイエット食品として、医食同源という言葉も周知され、より優れた食品内容物の提供する事を図る。【解決手段】本発明は、食物繊維の価値、食品の効用【０００９】を認めるところの蕎麦粉に注目した。蕎麦タンパク質は植物性タンパク質のなかでは、きわめて栄養価が高く完全に近いものである。そこで蕎麦粉を圧延し円形加工し餃子の皮とする。【特許請求の範囲】
【請求項１】
豚  牛・鳥挽肉等の食肉とサカナ等と、小さくカットされた茸・筍・野菜等を適宜練り合わせて、各々の嗜好にあわせた餡（１）を皮（２）で被覆している餃子において、餡（１）を蕎麦粉の圧延加工した蕎麦皮からなることを特徴とする餃子。
【発明の詳細な説明】
【０００１】
【発明の属する技術分野】本発明は、餃子の食味乃至栄養の改善に関し餡を被覆している皮に関する。
【０００２】
【従来の技術】餃子は豚の挽肉・エビ・カニ等の食肉に、白菜・玉葱・椎茸・筍・人参・ニラ・キャベツ等小さくカットされた物を適宜混合してなる餡を作り、この餡を、小麦粉を薄い円形に加工した皮で被覆している。皮は二つ折りにして餡を包み、その縁廻りを付着させて餡を被覆させる。このようにして作られた生の餃子は、油あるいは蒸気乃至スープにて加熱調理されて食べられる。
【０００３】
【発明が解決しようとする課題】従来の餃子の皮は小麦粉を薄く圧延して円形に加工して餡を包んで食しておりました。小麦粉その栄養的価値を見ると次のように成ります。エネルギー２８０Ｋｃａｌ・タンパク質８％のアミノ酸含量は、シスチン１，９％・アルギニン７，６％・ヒスチジン５，６％リジン０，５％トリプトファン１，０％程度である。  脂質１、５％程度含む。ビタミン類  ビタミンＢ１を０，０９ｍｇ・Ｂ２を０，０３ｍｇ・ナイアシンを０，５ｍｇ含むがＡ・Ｃ・Ｄは含まない。以上の様な小麦粉の栄養的価値があります。しかし現在は健康食ブームが起こり、自然食品・ダイエット食品として、医食同源という言葉も周知され、より優れた内容物を求めるようになった。
【０００４】
【課題を解決するための手段】
本発明は、食物繊維の価値、食品の効用を認めるところの蕎麦粉に注目した。
その蕎麦粉の栄養的価値を見ると、次のように成ります。
エネルギー２７４Ｋｃａｌ・タンパク質９，８％のアミノ酸含量は、シスチン１，２％・アルギニン１４，６％・ヒスチジン４，８％リジン４，８％トリプトファン０、８％程度であり比較的必須アミノ酸を多く含む。  脂質１、９％程度含む。ビタミン類  ビタミンＢ１を０，４２ｍｇ・Ｂ２を０，１０ｍｇ・ナイアシ
ンを４，３ｍｇ含有している。
【０００３】前記に挙げた小麦粉の成分的価値と比較すると、特にリジンの含量が非常に少なく、小麦粉は蕎麦粉に劣る事がわかる。
【０００５】
蕎麦タンパク質は植物性タンパク質のなかでは、きわめて栄養価が高く完全に近いものである。そこで蕎麦粉を圧延し円形加工し餃子の皮とする事で従来の小麦粉の皮に比べて優れた栄養的価値を提供する事ができることを奏する。
【０００６】
蕎麦には日本人に不足しがちなビタミンＢ１・Ｂ２も小麦に比べて３〜４倍含有している。これらビタミンは、食欲を増進させ、神経を鎮め、疲労感を癒す、ほか口内炎，口角炎、脚気、などを予防する効果も備えているため健康食品としての位置付けがなされている。
【０００７】
【発明実施の形態】以下、本発明の実施例図面に基づいて説明する。ただし、下記の実施例によって本発明が実施例だけに限定される物ではない。
【０００８】図１に示す餃子は、餡（１）を蕎麦皮（２）で被覆している。
餡（１）は、
【請求項１】に挙げた材料を各々の嗜好に合わせ適宜練り合わせた。
【０００９】
【発明の効果】餃子の効用
【０００６】に示す、中でもルチンやコリンの作用により高血圧、動脈硬化、肝脂肪、肝硬変等の生活習慣病予防食としての優れた効果を奏する。
【図面の簡単な説明】
【図１】本発明の実施例の餃子を示す断面斜視図
【符号の説明】
（１）餡
（２）蕎麦皮
【図１】
2004321160.tif 000002
(57)【要約】【課題】温泡入浴装置の簡素化。【解決手段】タンク２０内に手動投入された湯と洗剤との混合液に気泡を供給することにより温泡を発生せしめ、前記温泡は、前記タンク２０の上部に形成された穴２８から吐出された後、前記タンク２０の前面壁２２に沿って徐々に浴槽内に移動するようにしてなる、温泡入浴装置１０を構成した。【選択図】      図１
2004321449.tif 000002
【特許請求の範囲】
【請求項１】
タンク内に手動投入された湯と洗剤との混合液に気泡を供給することにより温泡を発生せしめ、前記温泡は、前記タンクの上部に形成された穴から吐出された後、前記タンクの前面壁に沿って徐々に浴槽内に移動するようにしてなる、温泡入浴装置。
【発明の詳細な説明】
【０００１】
【発明の属する技術分野】
本発明は、温泡入浴装置に関する。
【０００２】
【従来の技術】
入浴者の身体に対する保温性の維持並びに実効性のある節水効果を齎すことが出来る温泡バスシステムが、近年、提供されている。この温泡バスシステムは、バスタブに温泡発生装置で発生された多数の温泡を供給し、バスタブ内にいる入浴者をして満身泡囲せしめるものである（例えば、特許文献１参照）。
【０００３】
【特許文献１】
特開２０００−８３８５１号公報  （第１〜７頁、図１〜図４）
【０００４】
【発明が解決しようとする課題】
しかして、上記した温泡バスシステムの温泡発生装置は、タンクに貯留された石鹸水に所定温度に暖められた空気を圧送して温泡を生成するものであるが、空気を暖めるヒータが必要となるので、安全性確保のため、絶縁乃至は耐湿・耐水構造を施さねばならず、構造が複雑となっていた。
【０００５】
それ故に、本発明は、かような観点に鑑み、構造簡素な温泡入浴装置を提供することを、その技術的課題とする。
【０００６】
【課題を解決するための手段】
上記した課題を解決するために講じた技術的手段は、
「タンク内に手動投入された湯と洗剤との混合液に気泡を供給することにより温泡を発生せしめ、前記温泡は、前記タンクの上部に形成された穴から吐出された後、前記タンクの前面壁に沿って徐々に浴槽内に移動するようにしてなる、温泡入浴装置。」
を構成したことがある。
【０００７】
【発明の実施の形態】
以下、添付図面に依拠して、本発明にかかる温泡入浴装置の一実施形態について説明する。
【０００８】
図１に示すように、温泡入浴装置１０は、タンク２０を備える。しかしてタンク２０の前面壁２２は、下側から上側にかけて緩やかな凸状曲面を描くような形成されている。図示はされないが、タンク２０の後面壁及び底壁面は、夫々、鉛直及び水平に延在しており、前面壁２２、後面壁及び底壁面は、樹脂を一体成型することにより、連続体として形成される。
【０００９】
前面壁２２、後面壁及び底壁面により画成される右側開口並びに左側開口は、右側壁面２４Ａ並びに左側側面２４Ｂにより、夫々、閉塞される。その際、右側壁面２４Ａ（左側壁面２４Ｂ）その前縁部２４Ａａ（２４Ｂａ）は前面壁２２から突出するようになっており、前面壁２２並びに右側壁面２４Ａ並びに左側壁面２４Ｂは、全体として、浅いガータを構成する。
【００１０】
かように形成されたタンク２０の内部空間は、前面壁２２の上側に穿設された１対の穴２８・２８を介して、外部空間と連通する。タンク２０の内部空間には、ノズル３０が延在する。ノズル３０には複数の穴３２が穿設されている。ノズル３０の左側端部は閉塞されており、右側端部は開放されている。ノズル３０の右側端部は、右側壁面２４Ａを少しく突出した位置で、逆止弁４０及びホース４２を介して、コンプレッサ４４の吐出口と接続される。ノズル３０の右側端部は、逆止弁４０と分離可能となっており、タンク２０の設置位置を適宜変更できるようになっている。
【００１１】
タンク２０の左側壁面２４Ｂには、コック形式の開閉弁４６により開閉される排水口４８が設けられている。
【００１２】
上記した構成の温泡入浴装置１０の使用方法は、次の通りである。
【００１３】
（１）まず、タンク２０を、図示されない浴槽の前方の縁部に載置する。その際、前面壁２２の直下に浴槽の内部空間が位置するのが最適である。
【００１４】
（２）前面壁２２の上側に穿設された１対の穴２８・２８を介して、タンク２０の内部空間に、所定量の洗剤（石鹸水若しくは粉石鹸）を、手で投入する。
【００１５】
（３）洗剤の投入後、所定量の湯を、前面壁２２の上側に穿設された１対の穴２８・２８を介して、タンク２０の内部空間に、供給する。湯の供給手段としては、シャワーヘッドが好適であるが、ヤカンでも差し支えない。タンク２０の内部空間には、既に、洗剤が投入されているので、湯の供給により、石鹸温水が生成される。
【００１６】
（４）コンプレッサ４４がオンされると、圧縮空気が、ノズル３０の穴３２から石鹸温水に噴射され、多数の温泡は生成されて上昇し、前面壁２２の上側に穿設された１対の穴２８・２８をから出現する。この温泡は、右側壁面２４Ａの前縁部２４Ａａ及び左側壁面２４Ｂの前縁部２４Ｂａにガイドされながら、前面壁２２に沿って、下方に移動し、浴槽内に至る。この温泡の浴槽内への移動が所定時間継続すると、浴槽内が温泡で充満される。この時点で、コンプレッサ４４をオフすれば、温泡の発生・浴槽内への移動が停止し、温泡入浴が可能となる。
【００１７】
（５）温泡入浴後、開閉弁４６を開いて、内部の石鹸温水を排水口４８からドレインする。
【００１８】
尚、上記した温泡入浴装置１０の構成は、種々のモディファイが可能である。例えば、コンプレッサ４４の代わりに電気掃除機を採用したり、逆止弁４０を廃止して、パイプ３０の右側端部を逆Ｕ字型に曲成してトラップを形成することが、可能である。
【００１９】
【発明の効果】
請求項１の発明によれば、タンク内に手動投入された湯と洗剤との混合液に気泡を供給することにより温泡を発生せしめ、前記温泡は、前記タンクの上部に形成された穴から吐出された後、前記タンクの前面壁に沿って徐々に浴槽内に移動するようにしてなる、温泡入浴装置を構成したので、構成が至極簡素化され、気安く温泡入浴のメリットを享受できるという、実用上、多大の効果を奏する。
【図面の簡単な説明】
【図１】温泡入浴装置の斜視図である。
【符号の説明】
１０・・・温泡入浴装置
２０・・・タンク
２２・・・前面壁
２８・・・穴
【図１】
2004321449.tif 000003
(57)【要約】      （修正有）【課題】電気を使わずに、寝ている人の周りの空気を浄化する、騒音のない空気清浄機を備えたベッドの提供。【解決手段】エレクトレット化された不織布をプリーツ状の態様で矩形枠に堅牢に保持する。エレクトレット化された不織布は、布織布シートをマイナスに静電気で帯電させたものであり、空気中のプラスに帯電した埃類を吸引・保持する（つまり集塵する）ものである。このような不織布シートの空気清浄装置をマットレス２０が載置されるフレーム１２及び／又は前記フレーム１２の隣接部材１４の適所に、空気清浄装置３０として着脱自在に装着したことを特徴とするベッド１０を構成した。【選択図】      図１
2004321406.tif 000002
【特許請求の範囲】
【請求項１】
マットレスが載置されるフレーム及び／又は前記フレームの隣接部材の適所に、エレクトレット化されたシートを空気清浄装置として着脱自在に装着したことを特徴とするベッド。
【発明の詳細な説明】
【０００１】
【発明の属する技術分野】
本発明は、ベッドに関し、特に空気清浄装置を備えたベッドに関する。
【０００２】
【従来の技術】
フレーム上に載置されたマットレスベッドに横たわる使用者に清涼な空気を供給すべく、空気清浄装置を備えたベッドが、従来から提供されている。しかして、このベッドにおいては、空気清浄装置の吹き出し部がヘッドボードに設けられており、フィルターを介してファンにより吸引された空気が、清浄空気として、吹き出し部からマットレス上の使用者に向けて吹き出されるようになっている。そして、フィルターを介して空気を吸引するファンは、電動モータにて回転駆動される（例えば、特許文献１参照）。
【０００３】
【特許文献１】
特開２０００−１７１０６７号公報  （第１〜５頁、図１〜８）
【０００４】
【発明が解決しようとする課題】
しかしながら、上記したベッドは、フィルターを介して空気を吸引するファンは、電動モータにて回転駆動されるので、騒音は不可避であり、この騒音は安眠の妨げとなる。特に、上記したベッドが病院において使用される場合は、患者に苦痛を与えることになり、改善が要求される。
【０００５】
それ故に、本発明は、かような不具合が惹起されないベッドを提供することを、その技術的課題とする。
【０００６】
【課題を解決するための手段】
上記した課題を解決するために講じた技術的手段は、「マットレスが載置されるフレーム及び／又は前記フレームの隣接部材の適所に、エレクトレット化されたシートを空気清浄装置として着脱自在に装着したことを特徴とするベッド」を構成したことがある。
【０００７】
【発明の実施の形態】
以下、添付図面に依拠して、本発明にかかるベッドの実施形態について説明する。
【０００８】
図１及び図２に示すように、ベッド１０は、フレーム１２を備える。フレーム１２の上にはマットレス２０が載置される。フレーム１２のヘッド側にはヘッドボード１４が固定・立設されている。しかして、ヘッドボード１４の前面（マットレス２０が位置する側）には、凹所１６が形成されており、この凹所１６には、空気清浄装置３０が着脱自在に装着されている。
【０００９】
図３及び図４に示すように、空気清浄装置３０は、エレクトレット化された不織布シート３２を、プリーツ状の態様で、矩形枠４０に堅牢に保持される。エレクトレット化された不織布シート３２は、不織布シートをマイナスの静電気で帯電させたものであり、空気中のプラスに帯電した埃類を吸引・保持する（つまり集塵する）ものである。このような不織布シート３２を人体に近い場所に位置するヘッドボード１４に装着することで、人体に吸引される空気を、電気を使わず、騒音なく、浄化できる。
【００１０】
しかして、矩形枠４０は、４隅に位置するＬ型ブラケット４２の水平舌４２Ｈ及び垂直舌４２Ｖを、夫々、水平枠４４の溝及び垂直枠４６の溝に挿入することにより構成される。
【００１１】
エレクトレット化された不織布シート３２をプリーツ状となすのは、表面積を出来る限り増加させるためである。また、プリーツ状の不織布シート３２は、表面がフラットにはならないので、付着した埃が目立たない。不織布シート３２は洗濯すれば、数回は、使用できる。
【００１２】
尚、図５に示すように、空気清浄装置３０を、奥行きが大きなヘッドボード１４の天部に設置しても良いし、不織布シート３２の代わりにエレクトレット化が容易な材質（例えばポリプロピレン樹脂）で作製されたシートを採用しても良い。
【００１３】
以上、本発明の実施の形態について説明したが、本発明は上述した実施の形態に限定される意図はなく、本発明の趣旨に沿った形態のベッドであれば、どのようなものでもよい。
【００１４】
【発明の効果】
請求項１の発明によれば、マットレスが載置されるフレーム及び／又は前記フレームの隣接部材の適所に、エレクトレット化されたシートを空気清浄装置として着脱自在に装着したことを特徴とするベッドを構成したので、電源を必要とせずに、騒音のない空気清浄を行うことが出来、実用上、多大の効果を奏する。
【図面の簡単な説明】
【図１】本発明にかかるベッドの一実施態様の斜視図である。
【図２】図１に示すベッドの正面図である。
【図３】エレクトレット化された不織布シートを用いて構成される空気清浄装置の全体斜視図である。
【図４】図４に示す空気清浄装置の分解斜視図である。
【図５】本発明にかかるベッドの他の実施態様の斜視図である。
【符号の説明】
１０・・・ベッド
１２・・・フレーム
２０・・・マットレス
３０・・・空気清浄機
３２・・・不織布シート
【図１】
2004321406.tif 000003
【図２】
2004321406.tif 000004
【図３】
2004321406.tif 000005
【図４】
2004321406.tif 000006
【図５】
2004321406.tif 000007
(57)【要約】【課題】狭い場所でのゴルフ練習で、打球の球筋がスライス系であったかドロー系であったかを確認できることを可能とする。【解決手段】本発明は、打球が水平軸を中心に回転するゴルフ練習機において、打球が水平方向に回転でき、かつ、打球と水平軸をつなぐ部分がその回転面に対して鉛直方向に曲がることができるようにすることにより、打球の回転で発生する揚力による回転面の移動により、打球の球筋がスライス系であったかドロー系であったかを確認できることを実現した。【選択図】        図１
2004321631.tif 000002
【特許請求の範囲】
【請求項１】
打球が水平軸を中心に回転するもので、打球が水平方向に回転でき、かつ、打球と水平軸をつなぐ部分がその回転面に対して鉛直方向に曲がることができるようにすることにより、打球の水平方向の回転で発生する揚力による回転面の移動で打球の球筋を確認できることを特徴とするゴルフ練習機。
【発明の詳細な説明】
【０００１】
【発明が属する技術分野】
本発明は、狭い場所でのゴルフ練習で、打球の球筋を確認できるゴルフ練習機に関するものである。
【０００２】
【従来の技術】
垂直軸又は水平軸を中心に打球が回転するゴルフ練習機や打球を紐等で結んだゴルフ練習機は、すでに実用に共されている。
【０００３】
しかし、実用の打球が回転するゴルフ練習機は、打球が回転部に固定されているため、打球がスライス系であったかドロー系であったかを確認することができないという欠点があった。
また、同様に、実用の球を紐等で結んだゴルフ練習機は、打球の飛び出し方向は確認できるが、打球がスライス系であったかドロー系であったかを確認することができないという欠点があった。
【０００４】
【発明が解決しようとする課題】
従来のゴルフ練習機では、打球の球筋がスライス系であったかドロー系であったかを確認することができない点である。
【０００５】
【課題を解決するための手段】
本発明は、水平軸を中心に打球が回転するゴルフ練習機において、打球が球（１）と回転リング部（７）を結ぶ線の延長線を中心に回転すること（以下、「水平回転」という。）ができ、球（１）から回転リング部（７）までの部分（以下、「回転部」という。）が回転面に対して鉛直方向に曲がることを最も主要な特徴とする。
【０００６】
【発明の実施の形態】
本発明は、打球が水平回転できるようにすることにより、打球の水平回転で飛球線に対して横方向の揚力を発生させ、その揚力で打球の回転面が移動することにより、打球の球筋がスライス系であったかドロー系であったかを確認できることを実現した。
【０００７】
【実施例】
図１は本発明の１実施例の斜視図であり、図２はその正面図、図３はその側面図である。
本発明の主体は、球（１）から回転リング部（７）までの回転部にあるので、水平軸（８）、支持棒（９）、台座（１０）及び人工芝マット（１１）についての説明は省略する。
【０００８】
図２及び図３においては、インパクト後の打球（１’）の動きを点線で表している。
図３において、インパクト後、球（１）から水平回転部（３）までが右回転した場合には回転面は（１３）のごとく右側に移動し、球筋がスライス系であったことがわかる。逆に、球（１）から水平回転部（３）までが左回転した場合には回転面は（１２）のごとく左側に移動し、球筋がドロー系であったことがわかる。
【０００９】
図４、図５及び図６は本発明の主体である回転部の実施例の正面図及び側面図である。
図４、図５及び図６で説明すると、球（１）と水平回転部（３）を留め具ア（４）でつなぎ、水平回転部（３）と連結部（２）を留め具イ（５）でつなぎ、連結部（２）と回転リング部（７）を留め具ウ（６）でつなぎ、いずれのつなぎ目も自由に動かせるようにする。
図４は、留め具ア（４）をひも状の物、連結部（２）を棒状の物、留め具ウ（６）をリベットのような物とした実施例である。
図５は、留め具ア（４）をリベットのような物、連結部（２）を棒状の物、留め具ウ（６）をリベットのような物とした実施例である。
図６は、留め具ア（４）をひも状の物、連結部（２）を水平回転部（３）と同様の物、留め具ウ（６）をひも状の物とした実施例である。
【００１０】
【発明の効果】
以上説明したように本発明のゴルフ練習機は、狭い場所での練習において打球の球筋を確認できるという特徴がある。
【図面の簡単な説明】
【図１】ゴルフ練習機の実施例の斜視図である。（実施例１）
【図２】ゴルフ練習機の実施例の正面図である。（実施例１）
【図３】ゴルフ練習機の実施例の側面図である。（実施例１）
【図４】回転部の実施例の正面図及び側面図である。（実施例１）
【図５】回転部の実施例の正面図及び側面図である。（実施例２）
【図６】回転部の実施例の正面図及び側面図である。（実施例３）
【符号の説明】
１    球
２    連結部
３    水平回転部
４    留め具ア
５    留め具イ
６    留め具ウ
７    回転リング部
８    水平軸
９    支持棒
１０  台座
１１  人工芝マット
１２  スライス系回転面
１３  ドロー系回転面
【図１】
2004321631.tif 000003
【図２】
2004321631.tif 000004
【図３】
2004321631.tif 000005
【図４】
2004321631.tif 000006
【図５】
2004321631.tif 000007
【図６】
2004321631.tif 000008
(57)【要約】【課題】雪崩で埋まった場合１５分以内で探し出さなければ命を救うことが非常に難しいとされていて、今までのビ−コン等による電波信号で探索し、人の位置をゾンデ棒で雪に突き刺して探り出す方法では時間がかかると思いました。【解決手段】雪崩等で雪中に埋もれた人を一秒でも早く救うため、雪崩が発生して雪崩に巻き込まれる前に炭酸ガス等、又はスプリング式によりビニ−ルテ−プ等又は、毛糸などを上空に打ち上げることにより、雪崩に巻き込まれた後、雪上に突出するテ−プ等を辿っていけば発見がより早くなり人命を救う確立が高くなる。【選択図】  図１
2004321649.tif 000002
【特許請求の範囲】
【請求項１】
雪崩等で雪に埋もれる危険があった場合、炭酸ガス等又はスプリングを使いビニ−ル製テ−プ又は毛糸等を上空に打ち上げる装置。
【発明の詳細な説明】
【０００１】
【発明の属する技術分野】
この発明は、雪崩によって雪中に埋もれた人を、より早く救出するための装置である。
【０００２】
【従来の技術】
従来の雪崩による救出方法は、ビ−コン等による電波信号で探索し、人の位置を探りゾンデ棒で雪に突き刺し、埋もれた人を探り出すという方法である。
【０００３】
【発明が解決しようとする課題】
しかしながら、以上の従来技術によれば、時間がかかり人命をより早く救出することが難しく、１５分以内で救出しなければならないということが困難である。
そこでこの発明は、より早く人の位置を発見することを課題とする。
【０００４】
【課題を解決するための手段】
以上の課題を解決するために、請求項１の発明は、雪崩等に巻き込まれそうになった場合、雪崩が発生して埋もれるまでに数秒間の余裕があるその間に、この装置から原色でビニ−ル製の薄くて軽いテ−プ、又は毛糸等を発射して雪の上にテ−プがでるようにします。
【０００５】
【発明の実施の形態】
この発明の一実施形態を、図１に示す。
この装置は縦１０ｃｍ〜２０ｃｍ位で横３ｃｍ位の円筒形で、材質は金属又は強化プラスチック製等です。レバ−又はリングを引くことにより、炭酸ガス等又はスプリング式により発射します。
【０００６】
【実施形態の効果】
この実施形態によれば、腕又はリュック等にテ−プなどで固定します。
【０００７】
【発明の効果】
以上説明したように、この発明によれば、雪崩に巻き込まれそうになった場合この装置で、素早く上空にテ−プ等を打ち出します。このテ−プ等は非常に軽いので雪崩による雪圧や雪風により雪の上に出る確率が非常に高く、そのテ−プ等を辿っていけば容易に埋まった人を発見できます。
【図面の簡単な説明】
【図１】この発明の装置の、ガス式の場合の図である。
【図２】この発明の装置の、スプリング式の図である。
【符号の説明】
１  ゴムキャップ又はアルミ
２  強化プラスチック又はアルミ（金属）
３  ビニ−ルテ−プ又は毛糸
４  バルブ
５  ハンマ−
６  気化室
７  炭酸ガス等
８  ガス注入バルブ
９  紐
１０  発射リング
１１  ストッパ−
１２  ストッパ−フック
１３  ゴムパッキン
１４  スプリング
１５  レバ−
１６  フック
【図１】
2004321649.tif 000003
【図２】
2004321649.tif 000004